(57)【要約】【課題】  給油所システムにおいて、クレジットカードによる給油料金の決済を行う場合であっても、割安な給油単価を適用できるようにすることである。【解決手段】  燃料油の購入について、少なくとも、クレジットカードで決済して代金を支払う精算と、給油カードＰの残高で代金を支払う精算と、を制御する制御装置１１と、クレジットカードに対応するクレジットカード精算単価を記憶すると共に、給油カードに対応する給油カード精算単価を記憶する単価記憶部３０とを備え、クレジットカードで決済して代金を支払う精算が行われ、かつ、給油カードＰが投入された場合には、前記両精算単価をを比較することで、当該読み出された両精算単価のうちいずれか安い方に基づいて支払金額を算出する。【選択図】        図４
2006335438.tif 000002
【特許請求の範囲】
【請求項１】
給油用のポンプと、給油量を計量する流量計と、給油用の給油ノズルとを有する給油装置を備えた給油所システムであって、
給油量又は給油金額を含む給油予定情報を入力するための給油予定情報入力手段と、
給油のために投入された貨幣を識別するための貨幣識別手段と、
予め入金された予納額および／または貨幣の金額から購入金額を減算した残高を記憶可能な給油カードの情報の読み取りおよび書き込みを行う給油カードリーダ・ライタと、
クレジットカードの情報を読み取るクレジットカードリーダと、
燃料油の購入について、少なくとも、クレジットカードで決済して代金を支払う精算と、給油カードの前記残高で代金を支払う精算と、を制御する制御装置と、
クレジットカードに対応するクレジットカード精算単価を、前記燃料油の油種ごとに記憶すると共に、給油カードに対応する給油カード精算単価を、前記燃料油の油種ごとに記憶する単価記憶部とを備え、
前記クレジットカードで決済して代金を支払う精算が行われ、かつ、前記給油カードが投入されない場合には、前記クレジットカード精算単価を前記単価記憶部から読み出して、当該読み出されたクレジットカード精算単価に基づいて支払金額を算出し、
前記クレジットカードで決済して代金を支払う精算が行われ、かつ、前記給油カードが投入された場合には、前記クレジットカード精算単価と前記給油カード精算単価とを前記単価記憶部から読み出して、当該読み出された両精算単価を比較することで、当該読み出された両精算単価のうちいずれか安い方に基づいて支払金額を算出するように、
前記制御装置により制御することを特徴とする給油所システム。
【請求項２】
請求項１において、未使用の給油カードをストックし、給油カードを発行可能なカード発行機を更に備え、
前記クレジットカードで決済して代金を支払う精算が行われ、かつ、前記給油カードが投入されない場合には、新たな給油カードを作成することを可能とするように、前記制御装置により制御する給油所システム。
【請求項３】
請求項１もしくは２において、前記単価記憶部には、前記給油カード精算単価として、第１の給油カード精算単価と前記第１の給油カード精算単価よりも安い第２の給油カード精算単価とが記憶されており、
前記両給油カード精算単価のいずれを適用するかの単価適用情報を給油カードごとに記憶する顧客情報記憶部が設けられており、
前記クレジットカードで決済して代金を支払う精算が行われ、かつ、前記給油カードが投入された場合には、前記クレジットカード精算単価と投入された給油カードの単価適用情報に対応する第１もしくは第２の給油カード精算単価とを前記単価記憶部から読み出して、当該読み出された両精算単価を比較することで、当該読み出された両精算単価のうちいずれか安い方に基づいて支払金額を算出するように、制御される給油所システム。
【請求項４】
請求項３において、前記顧客情報記憶部に記憶されている給油カードごとの単価適用情報が印字される印字領域が当該給油カードに設けられている給油所システム。
【請求項５】
請求項１から４のいずれか１項において、前記クレジットカードで決済して代金を支払う精算が行われる場合であっても、前記給油カードが投入または作成されることを条件として、給油量または支払金額に応じたポイントが所定の記憶領域に記憶されるように制御される給油所システム。
【発明の詳細な説明】
【技術分野】
【０００１】
本発明は、給油所システムに関する。
【背景技術】
【０００２】
近年、いわゆる給油カードで給油することでクレジットカード用の給油単価よりも安い給油カード用の給油単価で給油することができることがあり、更にポイントを貯めることでキャッシュバック、景品の交換、単価の値引きなどの特典を受けることができる。クレジットカードによる決済の場合であっても、例えばリピート客などに対して、給油カードで給油した場合と同様の割安の給油単価やポイント付与などのサービスを行いたいという要望がある。
【０００３】
給油単価の算出については、下記の先行技術がある。
特開平１０−３２９８９６号には、顧客が、掛売、前売又は現金のうちのいずれかの支払方法を選択し、その支払方法に対応する販売単価を単価記憶手段から読み出すシステムが開示されている。
特開平９−８６５６９号には、給油カードに単価ランクが記録され、給油カードの単価ランクに応じて単価テーブルから単価を読み出すシステムが開示されている。
【０００４】
【特許文献１】特開平１０−３２９８９６号（特許請求の範囲）
【特許文献２】特開平９−８６５６９号（特許請求の範囲）
【０００５】
しかし、前記先行技術では、給油料金の支払手段に応じて、一律に給油単価が決定されている。すなわち、給油所でガソリンや軽油等の油液を車両に給油する際に、給油料金の決済をクレジットカードで行うと、予めＰＯＳ等に登録されているクレジットカード用の給油単価で給油することになる。したがって、給油カード用の給油単価がクレジットカード用の給油単価より安い場合は、クレジットカード顧客は割高な単価で支払を行わなければならないことになる。
【発明の開示】
【０００６】
本発明の主目的は、給油所システムにおいて、クレジットカードによる給油料金の決済を行う場合であっても、割安な給油単価を適用できるようにすることである。
また、本発明の他の目的は、クレジットカードによる給油料金の決済を行う場合であっても、給油カードにポイントを貯められ、顧客が種々の特典を受けられるようにすることである。
【０００７】
前記目的を達成するために、本発明の給油所システムは、給油用のポンプと、給油量を計量する流量計と、給油用の給油ノズルとを有する給油装置を備えた給油所システムであって、給油量又は給油金額を含む給油予定情報を入力するための給油予定情報入力手段と、給油のために投入された貨幣を識別するための貨幣識別手段と、予め入金された予納額および／または貨幣の金額から購入金額を減算した残高を記憶可能な給油カードの情報の読み取りおよび書き込みを行う給油カードリーダ・ライタと、クレジットカードの情報を読み取るクレジットカードリーダと、燃料油の購入について、少なくとも、クレジットカードで決済して代金を支払う精算と、給油カードの前記残高で代金を支払う精算と、を制御する制御装置と、クレジットカードに対応するクレジットカード精算単価を、前記燃料油の油種ごとに記憶すると共に、給油カードに対応する給油カード精算単価を、前記燃料油の油種ごとに記憶する単価記憶部とを備え、前記クレジットカードで決済して代金を支払う精算が行われ、かつ、前記給油カードが投入されない場合には、前記クレジットカード精算単価を前記単価記憶部から読み出して、当該読み出されたクレジットカード精算単価に基づいて支払金額を算出し、前記クレジットカードで決済して代金を支払う精算が行われ、かつ、前記給油カードが投入された場合には、前記クレジットカード精算単価と前記給油カード精算単価とを前記単価記憶部から読み出して、当該読み出された両精算単価を比較することで、当該読み出された両精算単価のうちいずれか安い方に基づいて支払金額を算出するように、前記制御装置により制御することを特徴とする。
【０００８】
本発明によれば、クレジットカード決済による支払でも給油カードを投入した場合は、リピート客であるので、そのような客にも対して割安な単価を適用し得る。すなわち、給油カード精算単価がクレジット精算単価よりも安い場合、クレジットカード顧客でも割安な給油カード精算単価を適用することができる。
【０００９】
なお、本発明において、給油カードとは、予め入金された予納額および／または貨幣の金額から購入金額を減算した残高を記憶し該残高を用いて給油料金の支払が可能ないわゆるプリペイドカードや、給油量や給油金額に応じてポイントを印字・記憶するポイントカードや、その双方の機能を含むカードを含み、たとえば、給油ごとに印字を追加していく印字の書換が不可能なカードや、給油ごとに印字を書き換えることができるリライトカードなどの板状記憶媒体を用いることができる。
【００１０】
また、本発明の給油所システムにおいては、未使用の給油カードをストックし、給油カードを発行可能なカード発行機を更に備え、前記クレジットカードで決済して代金を支払う精算が行われ、かつ、前記給油カードが投入されない場合には、新たな給油カードを作成することを可能とするように、前記制御装置により制御するようにしてもよい。
【００１１】
こうすれば、未使用の給油カードをストックし、給油カードを発行可能なカード発行機を更に備えているので、給油カードを保持していないクレジットカード顧客に給油カードを提供でき、次回の給油から割安な精算単価を適用できるので、かかるクレジットカード顧客がリピート客になることを期待できる。
【００１２】
本発明のある態様の給油所システムにおいては、前記単価記憶部には、前記給油カード精算単価として、第１の給油カード精算単価と前記第１の給油カード精算単価よりも安い第２の給油カード精算単価とが記憶されており、前記両給油カード精算単価のいずれを適用するかの単価適用情報を給油カードごとに記憶する顧客情報記憶部が設けられており、前記クレジットカードで決済して代金を支払う精算が行われ、かつ、前記給油カードが投入された場合には、前記クレジットカード精算単価と投入された給油カードの単価適用情報に対応する第１もしくは第２の給油カード精算単価とを前記単価記憶部から読み出して、当該読み出された両精算単価を比較することで、当該読み出された両精算単価のうちいずれか安い方に基づいて支払金額を算出するように、制御される。
【００１３】
この場合、給油カード精算単価が複数設けられているので、単価間の上下関係が更に複雑になる。例えば、第１の給油カード精算単価はクレジットカード精算単価よりも高いが、第２の給油カード精算単価はクレジットカード精算単価よりも安いという場合があり得る。その場合、顧客により、給油カード精算単価およびクレジットカード精算単価のいずれが安いかが異なるが、両精算単価を比較して安いほうを適用することで、常に割安な精算単価を適用できる。
【００１４】
本態様においては、前記顧客情報記憶部が前記給油カードに設けられているのが好ましい。
このようにすれば、大量に発行される給油カードによる大量の顧客データを装置側で記憶する必要がない。これにより、顧客データを記憶する大容量のメモリを設ける必要がなるなる上、精算処理の迅速化を図ることができる。
【００１５】
また、本態様においては、前記顧客情報記憶部に記憶されている給油カードごとの単価適用情報が印字される印字領域が当該給油カードに設けられているのが好ましい。
このようにすれば、顧客が給油カードに印字されている単価適用情報を視認することで、単価の値引きの有無を顧客が予め確認できる。
【００１６】
また、本態様においては、前記クレジットカードで決済して代金を支払う精算が行われる場合であっても、前記給油カードが投入または作成されることを条件として、支払金額に応じたポイントが所定の記憶領域に記憶されるように制御されるのが好ましい。
このようにすれば、クレジットカード決済による支払でも給油カードを投入または作成した場合は、リピート客であるか今後のリピート客になることが予想され、そのような客にも対してもポイントを付与でき、クレジットカード顧客も種々の特典を受けることが可能になる。また、クレジットカード顧客でも、ポイント付与による再来店を期待することができる。前記所定の記憶領域は、前記顧客情報記憶部であってもよい。
【００１７】
また、本発明の給油所システムにおいては、給油カードをストックし、給油カードを発行可能なカード発行機を更に備え、前記制御装置は、燃料油の購入について、前記クレジットカードで決済して代金を支払う精算、ならびに、前記給油カードの前記残高で代金を支払う精算に加え、少なくとも、貨幣で代金を支払う精算と、前記給油カードの前記残高と貨幣との双方で代金を支払う精算と、を制御し、前記単価記憶部には、複数種類のクレジットカードの種別情報と当該複数種類のクレジットカードに対応する複数のクレジットカード精算単価とが、互いに関連付けられて、前記燃料油の油種ごとに記憶されており、前記給油カードの前記残高で代金を支払う精算、ならびに、前記給油カードの前記残高と貨幣との双方で代金を支払う精算を行う場合、前記給油カード精算単価を前記単価記憶部から読み出して、当該読み出された給油カード精算単価に基づいて支払金額を算出するように、前記制御装置により制御し、前記クレジットカードで決済して代金を支払う精算が行われ、かつ、前記給油カードが投入されない場合には、投入されたクレジットカードの種別に対応するクレジットカード精算単価を前記単価記憶部から読み出して、当該読み出されたクレジットカード精算単価に基づいて支払金額を算出し、前記クレジットカードで決済して代金を支払う精算が行われ、かつ、前記給油カードが投入された場合には、投入されたクレジットカードの種別に対応するクレジットカード精算単価と前記給油カード精算単価とを前記単価記憶部から読み出して、当該読み出された両精算単価を比較することで、当該読み出された両精算単価のうちいずれか安い方に基づいて支払金額を算出するようにしてもよい。
【００１８】
このように、複数種類のクレジットカードがあり、その種類ごとに複数のクレジットカード精算単価がある場合、クレジットカード精算単価よりも給油カード精算単価の方が安い場合もあれば、クレジットカード精算単価よりも給油カード精算単価の方が高い場合もある。この態様では、かかる複雑な単価間の関係においても、両精算単価を比較して安い方を適用することで、クレジット顧客に常に割安な単価を適用できる。
【発明を実施するための最良の形態】
【００１９】
以下、本発明の一実施形態を図面にしたがって説明する。
全体構成：
図１（ａ）に示すように、本実施形態の給油所システムは、ＰＯＳ端末（管理装置）２０を備えている。該ＰＯＳ端末２０には、複数台の給油装置９や精算装置１０などが、図示しないインターフェイスを介して、たとえば、ethernetや業界標準のSS-LANなどにより互いに接続されている。給油装置９には、それぞれ、精算装置１０が接続されている。前記ＰＯＳ端末２０は、給油所内に設けられた給油装置９や、精算装置１０などの管理を行うものであり、たとえばパソコンで構成されている。なお、図１（ａ）および図２においてethernetによる接続は実線で示し、SS-LANによる接続は一点鎖線で示している。
【００２０】
一方、ＰＯＳ端末２０は、たとえば電話回線などにより、給油所から離れた場所に存在するクレジットセンター５０に接続されている。また、図２に示すように、ＰＯＳ端末２０には、単価テーブルを記憶する単価記憶部３０が設けられている。
【００２１】
図１（ｂ）は、前記精算装置１０の正面図である。図１（ｂ）に示すように、精算装置１０の正面に設けられた操作パネル１０Ａには、表示器１２、貨幣投入口１３Ａ、給油カード投入口１４Ａ、クレジットカード投入口１６Ａ、レシート発行口１９Ａ、人検知センサ１８およびスピーカー１７などが設けられている。
【００２２】
後述するように、顧客は、図１（ａ）の精算装置１０に、後述する給油カードや、貨幣、クレジットカードなどを投入した後に給油装置９から給油を行い、該給油後に精算装置１０から返却された給油カードやクレジットカード、領収書などを受け取る。
【００２３】
単価記憶部３０；
図３に示すように、前記単価記憶部３０には、支払手段の種別情報ごとに（給油カード、現金、クレジットカードおよび掛けカード）ごとに、レギュラー給油の精算単価、ハイオク給油の精算単価および軽油給油の精算単価からなる単価情報などが、互いに関連付けられて記憶されている。
【００２４】
給油カードに対応する給油カード精算単価は、複数設けられている（第１の給油カード精算単価、第２の給油カード精算単価、…）。種別情報“給油カード２”に対応する第２の給油カード精算単価は、種別情報“給油カード１”に対応する第１の給油カード精算単価よりも安くなっている。第１および第２の給油カード精算単価のうちいずれを適用するかは後述する給油カードＰに記憶されている単価適用情報によって決定される。
【００２５】
クレジットカードに対応するクレジットカード精算単価は、複数設けられている（種別情報“クレジットカードＡ”に対応するクレジットカード精算単価Ａ、種別情報“クレジットカードＢ”に対応するクレジットカード精算単価Ｂ、…）。クレジットカードの種別は、たとえば、クレジットカード発行会社ごとに異なる（たとえば、Ａ社発行のクレジットカードは種別“クレジットカードＡ”、Ｂ社発行のクレジットカードは種別“クレジットカードＢ”）。この場合、複数のクレジットカード精算単価のうちいずれを適用するかは、クレジットカードの登録情報により決定される。
【００２６】
給油装置９：
図２に示すように、前記給油装置９には、たとえばマイコンなどからなる給油機制御手段９１が設けられている。給油機制御手段９１には、たとえば、「レギュラー」、「ハイオク」および「軽油」などの油種別に給油機９３および給油ノズル９２が接続されている。給油機９３は、それぞれ、油送用のポンプ（図示せず）および給油量を計量する流量計（図示せず）を備えており、給油用の給油ノズル９２に接続されている。
【００２７】
給油機制御手段９１は給油機９３の制御を行うものであり、後述する給油予定情報に従って、所定の油種の給油ノズル９２からの給油を可能とすると共に、給油量のカウントを行い精算装置１０や前記ＰＯＳ端末２０（図１（ａ））に油種および給油量などからなる給油実績を送信する。
【００２８】
精算装置１０：
精算装置１０はマイコン（制御装置）１１を備えている。マイコン１１は、ＣＰＵ１１ａおよび記憶部１１ｂを備えている。
マイコン１１は、前記給油装置９から受信した給油実績（油種および給油量）と前記単価記憶部に記憶された精算単価とに基づいて給油金額（支払金額）を算出し、前記給油が行われる毎に、当該給油時の年月日、時刻、給油量、油種、投入金額、買上金額および釣銭などの給油情報を前記ＰＯＳ端末２０（図１（ａ））に送信する。
【００２９】
前記マイコン１１には、表示器１２、貨幣（紙幣）識別機１３、給油カードリーダ・ライタ１４、カードストッカ１５、クレジットカードリーダ（以下、「クレジットリーダ」という）１６、スピーカー１７、人検知センサ１８およびプリンタ１９が図示しないインターフェイスを介して互いに接続されている。
【００３０】
前記表示器１２は、たとえば、液晶表示器を備えたタッチスクリーンからなり、たとえば、図７（ａ）などの表示画面を表示させる表示手段を構成していると共に、表示画面に表示された確認ボタン１２ａ〜１２ｃや選択スイッチ（図示せず）などにタッチすることで入力を行う入力手段を構成している。この入力手段には、たとえば、油種と給油量または給油金額を含む給油予定情報を入力するための図示しない表示やスイッチ（給油予定情報入力手段）などが含まれる。
【００３１】
図２に示すプリンタ１９は、たとえば、サーマルプリンタやカッタなどを備えており、レシート発行口１９Ａ（図１（ｂ））から、領収書や景品交換券などの発行を行う。
【００３２】
前記貨幣識別機（貨幣識別手段）１３は、貨幣投入口１３Ａ（図１（ｂ））から投入された紙幣を識別するものであり、紙幣の種類や枚数（個数）の判別を行う。
【００３３】
クレジットリーダ１６は、前記クレジットカード投入口１６Ａ（図１（ｂ））から挿入（投入）されたクレジットカードからクレジットカードの種別情報を含む登録情報を読み取り、前記マイコン１１に当該クレジットカードの登録情報を送信する。マイコン１１は、該登録情報をＰＯＳ端末２０に送信し、ＰＯＳ端末２０は前記登録情報を、図１（ａ）のクレジットセンター５０に送信する。クレジットセンター３０で該登録情報が確認されると、クレジットセンター５０から正規の登録情報である旨の承認信号がＰＯＳ端末２０に送られ、精算装置１０での精算が可能となる。
【００３４】
なお、「クレジットカード」とは、当該カード所有者の会計処理上必要な登録情報を提供するためのカードであり、当該カードとしては、たとえば、該カードの一部に設けた磁気面を備えた磁気カードや、カードに内蔵されたＣＰＵおよび不揮発製メモリＩＣを備えたＩＣカードなどを用いることができる。
【００３５】
図２に示すカード発行機１５には、給油カードが未使用の状態でストックされており、前記未使用の給油カードは、後述する所定のタイミングで給油カードリーダ・ライタ１４に送られる。
【００３６】
前記給油カードリーダ・ライタ１４は、給油カード投入口（図１（ｂ））１４Ａから挿入（投入）された給油カードの読み取り、書き込みおよび印字を行う。また、給油カードリーダ・ライタ１４は、前記カード発行機１５から送られた未使用の給油カードに書き込みおよび印字を行い、当該給油カードを給油カード投入口１４Ａから発行する。
【００３７】
給油カードＰ：
本実施形態では、給油カードＰとして、給油ごとに印字を追加していく印字の書換が不可能なタイプのカードを用いている。図３（ｂ）に示すように、給油カードＰは、磁気記録による顧客情報記憶部３１を有する。また、図６（ａ）〜（ｃ）に示すように、給油カードＰは、一方の面が印字領域３ａとして構成されている。前記印字領域３ａには、当該給油カードＰの使用月日や、投入金額、残額（残高）、ポイント数、次回の単価適用情報（前記複数の給油カード精算単価のいずれを適用するかの情報）などからなる給油情報が印字される。前記印字領域３ａは、最大ｎ回の給油に伴うｎ回の印字が可能になっている。
【００３８】
前記使用月日欄には、本給油カードＰが使用された（給油が行われた）月日が印字される。投入金額欄には、貨幣投入口１３Ａから投入された金額（予納額）が印字される。残額欄には、当該給油カードＰにおいて使用可能な金額が印字される。ポイント欄には、後述するポイント数が印字される。図６（ａ）〜（ｃ）のように、単価適用情報の欄３ｂには次回給油の際の単価適用情報が印字される。単価適用情報の欄３ｂにおいて、“１”は前記単価記憶部に記憶された単価のうちの第１の給油カード精算単価を適用することを示す情報であり、“２”は第２の給油カード精算単価を適用することを示す情報である。
一方、前記顧客情報記憶部３１には、前記各印字欄の給油情報のうち、次回給油の際の単価適用情報を含む最新の給油情報が更新記憶されると共に、当該給油カードＰの認証情報などが記憶される。
【００３９】
前記ポイント数は、支払金額の累計に基づいて定まる付与価値の数値であり、たとえば、前記累計に１／１００を乗算し、小数点以下を四捨五入することで算出される。前記ポイント数は、後述する所定のトリガーに基づいて、前記所定の印字位置に印字される。一方、前記ポイント数は、所定の数以上になると、後述するように、キャッシュバックや、景品交換、単価の値下げなどに用いられる。
【００４０】
支払方法：
本システムは、クレジットカードのみで決済して代金を支払う精算（以下、「クレジット精算」という。）と、給油カードＰの残高のみで代金を支払う精算と、貨幣のみで代金を支払う精算と、給油カードの残高と貨幣との双方で代金を支払う精算とを可能としている。
【００４１】
給油方法：
つぎに、図４および図５に示すフローチャートに従い、クレジットカード精算の場合の精算単価の算出方法、ポイント数の算出方法や給油カードＰにポイント数を付加するタイミング等を含む給油方法について具体的に説明する。
【００４２】
顧客がクレジットカードをクレジット投入口１６Ａから挿入すると、図４に示すステップＳ１に進み、前記クレジットリーダ１６がクレジットカードの挿入を検出して、ステップＳ２に進む。
【００４３】
ステップＳ２では、クレジットリーダ１６が当該クレジットカードから登録情報を読み取り、前記マイコン１１に当該登録情報を送信して、ステップＳ３に進む。
ステップＳ３では、マイコン１１が、該登録情報をＰＯＳ端末２０に送信し、ＰＯＳ端末２０は、該情報をクレジットセンター５０に送信する。クレジットセンター５０で該登録情報が確認されると、クレジットセンター５０から正規の登録情報である旨の承認信号がＰＯＳ端末２０に送られ、精算装置１０での精算が可能となり、ステップＳ４に進む。一方、クレジットセンター５０において、登録情報が承認されない場合には、ステップＳ１１に進む。
ステップＳ１１では、表示器１２にクレジットカードを受け付けられない旨の表示を行うと共に、該クレジットカードをクレジット投入口１６Ａから排出する。
【００４４】
ステップＳ４では、承認済のクレジットカードをクレジット投入口１６Ａから排出して顧客に返却し、ステップＳ５に進む。
ステップＳ５では、表示器１２に顧客が給油カードＰを持っているか否かを質問する画面が表示される。ここで、給油カードＰを持っている場合、顧客は給油カードＰを給油カード投入口１４Ａに挿入し、ステップＳ６に進む。一方、給油カードＰを持っていない場合、顧客は画面上の所定のスイッチを押してステップＳ２１に進む。
ステップＳ６では、給油カード投入口１４Ａが挿入カードの挿入を検出したか否かの判別を行い、給油カードＰの挿入を検出した場合（顧客がクレジットカードと共に給油カードＰを挿入した場合）、ステップＳ７に進む。
【００４５】
［クレジットカードおよび給油カードＰが挿入された場合］
ステップＳ７では、給油カードリーダ・ライタ１４が当該給油カードＰから、認証情報や、残高および単価適用情報を含む給油情報などを読み出してマイコン１１に送信し、ステップＳ８に進む。
ステップＳ８では、マイコン１１が当該認証情報に基づき、当該給油カードＰが正規のカードであるか否かの判別を行い、正規のカードであると判別した場合には、ステップＳ９に進む。正規のカードではないと判別した場合には、ステップＳ１０に進む。ステップＳ１０では、表示器１２に給油カードＰを受け付けられない旨の表示を行うと共に、該給油カードＰを給油カード投入口１４Ａから排出する。
【００４６】
ステップＳ９では、前記読み出された給油カードＰの単価適用情報に基づいて、前記単価記憶部３０に記憶された複数の給油カード精算単価のうちの１つを読み出すと共に、前記読み出されたクレジットカードの登録情報に基づいて、前記単価記憶部３０に記憶された複数のクレジットカード精算単価のうちの１つを読み出す。そして、マイコン１１が、読み出された両精算単価の比較を行い、いずれか安いほうを選択して適用して、ステップＳ２２に進む。
【００４７】
たとえば、単価適用情報が“１”であり、クレジットカード種別が“クレジットカードＡ”であれば、第１の給油カード精算単価およびクレジットカード精算単価Ａが単価記憶部３０から読み出され、両精算単価を比較すると第１の給油カード精算単価の方が安いので（図３（ａ））、該第１の給油カード精算単価が適用される。
一方、たとえば、単価適用情報が“２”であり、クレジットカード種別が“クレジッドカードＢ”であれば、第２の給油カード精算単価およびクレジットカード精算単価Ｂが単価記憶部３０から読み出され、両精算単価を比較するとクレジットカード精算単価Ｂの方が安いので（図３（ａ））、該クレジットカード精算単価Ｂが適用される。
【００４８】
ステップＳ２２では、マイコン１１が、前記選択された安いほうの精算単価を油種ごとに表示した油種の設定画面を表示器１２に表示させ、ステップＳ２３に進む。
ステップＳ２３では、油種（給油予定情報の一部）が指定されるとステップＳ２４に進む。
ステップＳ２４では、給油方法の設定画面を表示器１２に表示させ、ステップＳ２５に進む。ステップＳ２５では、満タンや、給油量、金額指定などの給油方法（給油予定情報の一部）が指定されるとステップＳ２６（図５）に進む。
【００４９】
図５に示すステップＳ２６では、給油が開始可能となり、ステップＳ２７に進む。
ステップＳ２７において、前記給油予定情報に基づいて給油が完了すると、マイコン１１が、給油装置９から送信される給油実績および前記選択された精算単価に基づき今回給油を行った給油金額を算出して、ステップＳ２８に進む。
【００５０】
ステップＳ２８では、給油カードＰが挿入されているか否かの確認がなされて、ステップＳ２９に進む。
ステップＳ２９では、マイコン１１が今回給油した給油金額に基づき、今回のポイント数を算出してステップＳ３０に進む。
【００５１】
ステップＳ３０では、前回までのポイント数に今回算出したポイント数を加算し、新たなポイント数を算出して、ステップＳ３１に進む。
ステップＳ３１では、前記新たなポイント数が所定のポイント数（たとえば、１００ポイント）以上であるか否かの判別を行い、所定ポイント数以上である場合には、ステップＳ３２に進む。所定ポイント数未満である場合には、ステップＳ３６に進む。
【００５２】
所定ポイント数以上の場合：
ステップＳ３２では、マイコン１１が図７（ａ）に示すポイント使用の選択画面を表示器１２に示す。前記選択画面には、カードにキャッシュバックするか、景品に交換するか、給油単価を値下げするかの特典選択項目が表示され、当該項目に対応する選択ボタン１２ａ〜１２ｃがそれぞれ表示されて、ステップＳ３３に進む。
【００５３】
ステップＳ３３では、キャッシュバックか否かの判別が行われ、キャッシュバックに対応する確認ボタン１２ａがタッチされた場合には、ステップＳ３４に進む。一方、他のボタンがタッチされた場合には、ステップＳ５０に進む。
【００５４】
〔特典選択：キャッシュバック〕
ステップＳ３４では、当該所定ポイント数に対応するキャッシュバック額（例えば、１００円）に換算され、ステップＳ３５に進む。
【００５５】
ステップＳ３５では、前記ステップＳ３０で算出された新たなポイント数から前記所定ポイント数を減算したキャッシュバック適用後のポイント数を算出してステップＳ３６に進む。
【００５６】
〔特典選択：景品交換〕
図５のステップＳ５０では、景品交換か否かの判別が行われ、景品交換に対応する確認ボタン１２ｂ（図７（ａ））がタッチされた場合には、ステップＳ５１に進む。その他の場合、すなわち、単価値下げに対応する確認ボタン１２ｃがタッチされた場合には、ステップＳ５２に進む。
【００５７】
ステップＳ５１では、プリンタ１９が図８（ｃ）に示す景品交換券を印字してレシート発行口１９Ａから発行して、ステップＳ３５に進む。
ステップＳ３５では、前記ステップＳ３０で算出された新たなポイント数から、景品交換に対応する所定ポイント数を減算し、景品交換後のポイント数を算出して、ステップＳ３６に進む。
【００５８】
〔特典選択：単価値下げ〕
ステップＳ５２では、単価値下げの確認ボタン１２ｃ（図７（ａ））がタッチされると、ステップＳ５３に進み、マイコン１１が次回からの単価値下げ処理を行う決定をし、ステップＳ３５に進む。
ステップＳ３５では、前記ステップＳ３０で算出された新たなポイント数から単価値下げに対応するポイント数を減算して、単価値下げ適用後のポイント数を算出し、ステップＳ３６に進む。
【００５９】
ステップＳ３６以降の処理：
ステップＳ３６では、今回給油後の給油カードＰの新たな残高を算出して、ステップＳ３７に進む。前記キャッシュバックが適用された場合、ステップＳ３６において、前記ステップＳ７で読み出された給油カードＰの残高に前記キャッシュバック額を加算したキャッシュバック後の新たな残額を算出する。キャッシュバック以外の場合は、給油カードＰの残額に０が加算された値（＝ステップＳ７で読み出された残額のまま）が新たな残額として算出される。
【００６０】
ステップＳ３７では、給油カードＰに当該給油月日、投入金額、前記キャッシュバック後の新たな残額、ポイント数および次回の単価適用情報が、必要に応じて、給油カードＰに記憶・印字されて、ステップＳ３８に進む。なお、前記いずれかの特典が適用された場合は、ステップＳ３５で算出されたポイント数が、ステップＳ３７で記憶・印字される。一方、特典が適用されなかった場合（ステップ３１で所定ポイント数未満である場合）は、ステップＳ３０で算出されたポイント数がステップＳ３７で記憶・印字される。
【００６１】
図６（ｂ）に示すように、特典として単価値下げが適用された場合は、単価値下げされた次回の単価適用情報が、ステップＳ３７で記憶・印字される。ここでは、次回の単価適用情報が“２”となり、次回からは第１の給油カード精算単価より安い第２の給油カード精算単価が適用されることになる。
【００６２】
ステップＳ３８では、顧客が必要に応じて所定の操作を行うと、所定の領収書とポイント情報の伝票が発行されて、ステップＳ３９に進む。特典として景品交換が適用された場合は、たとえば、図８（ａ）に示す伝票が発行される。特典として単価値下げが適用された場合は、たとえば、図８（ｂ）に示す伝票が発行される。
ステップＳ３９では、給油カードＰが給油カード投入口１４Ａから排出され、一連の給油処理が完了する。
【００６３】
［クレジットカードが挿入され、かつ、給油カードＰが挿入されない場合］
前記ステップＳ５において、顧客が給油カードＰを持っていない場合には（この場合、当然、給油カードＰは挿入されない）、ステップＳ２１に進む。
ステップＳ２１では、前記読み出されたクレジットカードの登録情報に基づいて、前記単価記憶部３０に記憶された複数のクレジットカード精算単価のうちの１つを読み出して、該読み出されたクレジットカード精算単価を適用し、ステップＳ２２に進み、前述のステップＳ２２〜Ｓ２８までの動作が行われる。
【００６４】
図５に示すステップＳ２８において、給油カードＰが挿入されていないと判別された場合は、ステップＳ４１に進む。
ステップＳ４１では、給油カードＰを新たに作成するか否かを選択させる画面を表示させ、顧客により新たな給油カードを作成する旨の選択が行われた場合はステップＳ２９に進み、前述のステップＳ２９〜Ｓ３９までの動作が行われる。この場合、ステップＳ３７において、前記カード発行機から新たな給油カードＰが発行される。給油カードリーダ・ライタ１４によって当該新たな給油カードＰに、今回の給油月日および今回のポイント数が記録されて、給油カード投入口１４Ａから、たとえば、図６（ａ）に示す給油カードＰが発行される。ここでは、次回の単価適用情報が“１”となり、当該発行された給油カードＰを用いた次回の給油からは第１の給油カード精算単価が適用されることになる。
【００６５】
一方、ステップＳ４１において、顧客により給油カードを作成しない旨の選択が行われた場合はステップＳ４２に進む。ステップＳ４２では、所定の領収書が発行されて、一連の給油処理が完了する。
【００６６】
なお、クレジットカードを用いた給油では、給油金額をクレジットセンター５０に送信し、クレジットセンター５０において、当該金額の引き落としが行われるが、該送信は給油金額が確定するステップＳ２７以降のいずれの時点で行われてもよく、たとえば、ステップＳ３９の後に行われてもよい。
【００６７】
本システムでは、クレジット精算であっても、給油カードＰにポイント数を付加することができる。この給油カードＰは、残額があればそのままプリペイドカードとして釣銭の記録などにも使用でき、一方、残額がない場合や少ない場合には、現金と併用して用いることができるので至便である。
【００６８】
たとえば、クレジット精算で作成した給油カードＰは、たとえば、図６（ｂ）のように、クレジット精算を継続して行う場合には、給油カードＰはいわゆるポイントカードとして用いられる
一方、図６（ｃ）のように、クレジット精算で新たに発行された給油カードＰをいわゆるプリペイドカードのようにも用いることができる。同図の例では、初回の給油でクレジット精算を行い、新たな給油カードＰの作成が行われており、２〜４回目の給油では、前記作成された給油カードＰおよび現金にて精算を行っている。そして、４回目の給油で、ポイントの累計が所定ポイント数以上となったので、キャッシュバックが選択されている。この場合、図７（ｂ）に示すポイント情報と領収書の伝票が発行される。
【００６９】
なお、給油カードＰと現金を用いた給油では、図６（ｃ）に示すように、給油月日、投入金額、残額、ポイントおよび単価適用情報のすべての欄に印字される。一方、クレジット精算の場合は、図６（ａ），（ｂ）に示すように、給油月日、ポイントおよび単価適用の欄には印字されるが、投入金額および残額欄は空欄となる。但し、キャッシュバックが行われた場合や、給油カードに残額がある場合は、クレジット精算であっても投入金額や残額欄にも印字が行われる。
【００７０】
以上のとおり、図面を参照しながら、好適な実施例を説明したが、当業者であれば、本明細書をみて、自明な範囲で種々の変更および修正を容易に想定するであろう。
たとえば、クレジットカード精算単価は必ずしも複数設ける必要はなく、クレジット精算であれば、一律に１のクレジット精算単価を適用するようにしてもよい。
また、掛けカードでの決済による代金の支払いの場合もクレジットカードと同様に、掛けカード精算単価と給油カード精算単価を比較して、いずれか安いほうを選択するようにしてもよい。また、掛けカード精算単価も顧客ごとに複数設けてもよい。
また、クレジットカード精算単価や給油カード精算単価を３以上設けてもよい。
また、単価記憶部の各単価は日毎に変更できるようにしてもよい。
【産業上の利用可能性】
【００７１】
本発明は、給油所システムなどに適用することができる。
【図面の簡単な説明】
【００７２】
【図１】（ａ）は本発明の実施形態にかかる給油所システムを示す概略構成図、（ｂ）は同システムにおける精算装置の正面図である。
【図２】（ａ）は精算装置、給油装置およびＰＯＳ端末を示す概略構成図、（ｂ）は給油カードの概略構成図であである。
【図３】支払方法および油種ごとの単価を示す単価テーブルである。
【図４】給油方法を示すフローチャートである。
【図５】給油方法を示すフローチャートである。
【図６】（ａ）〜（ｃ）は給油カードの印字領域を示す正面図である。
【図７】（ａ）は表示器の表示画面を示す正面図、（ｂ）はプリンタにより印字されたポイント情報および領収書の一例を示す正面図である。
【図８】（ａ）および（ｂ）はプリンタにより印字されたポイント情報および領収書の一例を示す正面図、（ｃ）はプリンタにより印字された景品交換券の一例を示す正面図である。
【符号の説明】
【００７３】
１１：マイコン（制御装置）
１２：表示器
１３：貨幣識別機（貨幣識別手段）
１４：給油カードリーダ・ライタ
１５：カード発行機
１６：クレジットカードリーダ（クレジットリーダ）
３０：単価記憶部
３１：顧客情報記憶部
３ａ：印字領域
９：給油装置
９１：給油機制御手段
９２：給油ノズル
Ｐ：給油カード
【図１】
2006335438.tif 000003
【図２】
2006335438.tif 000004
【図３】
2006335438.tif 000005
【図４】
2006335438.tif 000006
【図５】
2006335438.tif 000007
【図６】
2006335438.tif 000008
【図７】
2006335438.tif 000009
【図８】
2006335438.tif 000010